(57)【要約】【課題】    使用者が、ヘッド部の被転写面への自己の押圧力を考慮して、転写ヘッドの弾性的な撓み量を、所望とする宣宣の撓み量に調節することができるようにする。【解決手段】  前端に開口２を有するケース３内に、供給リール４と巻取リール５を配設し、前記開口２より転写ヘッド６における前端のヘッド部７を突出させ、供給リール４に巻回した転写テープ８を繰出し、前記ヘッド部７で反転させて巻取リール５に巻取らせるようにした塗膜転写具において、ヘッド部７を被転写面に押圧したときに、その押圧力に応じて、ヘッド部７が上下方向に移動しうるように、転写ヘッド６を弾性的に撓み可能に形成するとともに、ケース３の外部において操作可能な操作手段１５によって付与した操作力を、伝達手段１９を介して、転写ヘッドに６作用させ、前記撓み量を連続的に調節しうるようにする。【選択図】        図２
2005271381.tif 000002
【特許請求の範囲】
【請求項１】
前端に開口を有するケース内に、供給リールと巻取リールを配設し、前記開口より転写ヘッドにおける前端のヘッド部を突出させ、供給リールに巻回した転写テープを繰出し、前記ヘッド部で反転させて巻取リールに巻取らせるようにした塗膜転写具において、
ヘッド部を被転写面に押圧したときに、その押圧力に応じて、ヘッド部が上下方向に移動しうるように、転写ヘッドを弾性的に撓み可能に形成するとともに、ケースの外部において操作可能な操作手段によって付与した操作力を、伝達手段を介して、転写ヘッドに作用させ、前記撓み量を連続的に調節しうるようにしたことを特徴とする塗膜転写具。
【請求項２】
転写ヘッドを、ヘッド部材の左右両側に、転写テープを案内するガイド部材を設けて形成し、操作手段によって付与した操作力を、伝達手段を介して、前記ガイド部材に作用させるようにしたことを特徴とする請求項１記載の塗膜転写具。
【請求項３】
操作手段によって前後方向に駆動される伝達手段の前端を、前記ガイド部材の後端上部に後方から当接させることにより、転写ヘッドの撓み量を調節するようにしたことを特徴とする請求項２記載の塗膜転写具。
【請求項４】
操作手段を、ハンドルの中央に、外周面に、雄ねじを備えるねじ筒部を一体的に設けて形成し、このねじ筒部を、ケースに固定した保持部材に設けられた軸線が前後方向を向く雌ねじ内に螺入し、ハンドルの回動操作によって、ねじ筒部を前後方向に移動可能とし、伝達手段を、その後端を前記ねじ筒部の筒内に挿通し、前端をケースの前端における通口に挿通させることによって保持するとともに、前記ねじ筒部の前後方向への移動に追従して、伝達手段を同じく前後方向に移動可能とし、この伝達手段の前端を、ガイド部材の後端上部に後方から当接させることによって、転写ヘッドの撓み量を調節しうるようにしたことを特徴とする請求項３記載の塗膜転写具。
【請求項５】
伝達手段の後端を、操作手段におけるねじ筒部の筒内に遊嵌状態で挿通させるとともに、伝達手段の前部に係止部を設け、この係止部と前記ねじ筒部の前端との間に、コイルスプリングを伝達手段に外嵌させた状態で介在させ、コイルスプリングのばね作用によって前方に付勢された状態で、伝達手段を、ねじ筒部にコイルスプリングを介して追従し、前後方向に移動可能にしたことを特徴とする請求項４記載の塗膜転写具。
【請求項６】
転写ヘッドを、上下方向に弾性的に撓み可能なヘッド部材と、このヘッド部材の前部左右両側に、転写テープを案内するガイド部材を設けて形成したことを特徴とする請求項１〜５のいずれかに記載の塗膜転写具。
【請求項７】
ヘッド部材を、上下方向に弾性的に撓み可能な前後方向に長いほぼ四辺形状板、または前後方向に長いほぼ四辺形状板と、その後方に連設された上下方向に弾性的に撓み可能な連結杆とをもって形成するとともに、ヘッド部材の後端をケースに固定したことを特徴とする請求項６記載の塗膜転写具。
【発明の詳細な説明】
【技術分野】
【０００１】
本発明は、手で把持して、紙面等を押圧しながら後方へ移動させることにより、供給リールから繰出される転写テープに塗着されている修正用または糊料の塗膜を、紙面等に転写する塗膜転写具に関する。
【背景技術】
【０００２】
塗膜転写具を使用する場合、ケースの前端の開口から外側に突出している、転写ヘッドにおける前端のヘッド部の下面を、紙面等の被転写面に押圧しながら後方へ移動させることにより、塗膜の転写が行われる。
この場合、転写ヘッドが、たとえば、剛性部材で形成され、ヘッド部が完全に固定されていると、転写作業が円滑に行い難いばかりでなく、押圧されたヘッド部によって、紙面等の被転写面が損傷される虞がある。
そのため、一般に転写ヘッドは、ヘッド部が多少上下方向に移動可能となるように、弾性的に撓むことができる部材で形成されている。
【０００３】
一方、使用の際におけるヘッド部の被転写面の押圧力には、個人差があり、押圧力が大きい場合には、転写ヘッドが過度に撓み、使い勝手が悪い場合がある。
そのため、転写ヘッドの撓み量を規制したものが公知である（たとえば、特許文献１）。
しかし、特許文献１に記載されているものは、固定された１つのストッパをもって、転写ヘッドの撓み量を規制するものであり、そのため、たとえば、大きい押圧力の人が使用しようとした場合、使用中において、常時、転写ヘッドがストッパに当接した状態となる。そのため、転写ヘッドの弾性的な撓み機能が全く発揮されず、円滑な転写作業が困難となり、使い勝手が悪いものとなる虞がある。
【特許文献１】特公平６−３３１２５号公報（第２図、第３ｂ図参照）
【発明の開示】
【発明が解決しようとする課題】
【０００４】
本発明は、前記の現状に鑑み、使用者が、ヘッド部の被転写面への自己の押圧力を考慮して、転写ヘッドの弾性的な撓み量を、所望とする適宜の撓み量に調節することができるようにするとともに、さらに、好ましい実施形態においては、撓み荷重をも調節可能とすることにより、円滑な転写作業を行うことができる塗膜転写具を提供することを目的とする。
【課題を解決するための手段】
【０００５】
本発明によると、上記課題は、次のようにして解決される。
(１)  前端に開口を有するケース内に、供給リールと巻取リールを配設し、前記開口より転写ヘッドにおける前端のヘッド部を突出させ、供給リールに巻回した転写テープを繰出し、前記ヘッド部で反転させて巻取リールに巻取らせるようにした塗膜転写具において、ヘッド部を被転写面に押圧したときに、その押圧力に応じて、ヘッド部が上下方向に移動しうるように、転写ヘッドを弾性的に撓み可能に形成するとともに、ケースの外部において操作可能な操作手段によって付与した操作力を、伝達手段を介して、転写ヘッドに作用させ、前記撓み量を連続的に調節しうるようにする。
【０００６】
(２)  上記(１)項において、転写ヘッドを、ヘッド部材の左右両側に、転写テープを案内するガイド部材を設けて形成し、操作手段によって付与した操作力を、伝達手段を介して、前記ガイド部材に作用させるようにする。
【０００７】
(３)  上記(２)項において、操作手段によって前後方向に駆動される伝達手段の前端を、前記ガイド部材の後端上部に後方から当接させることにより、転写ヘッドの撓み量を調節するようにする。
【０００８】
(４)  上記(３)項において、操作手段を、ハンドルの中央に、外周面に、雄ねじを備えるねじ筒部を一体的に設けて形成し、このねじ筒部を、ケースに固定した保持部材に設けられた軸線が前後方向を向く雌ねじ内に螺入し、ハンドルの回動操作によって、ねじ筒部を前後方向に移動可能とし、伝達手段を、その後端を前記ねじ筒部の筒内に挿通し、前端をケースの前端における通口に挿通させることによって保持するとともに、前記ねじ筒部の前後方向への移動に追従して、伝達手段を同じく前後方向に移動可能とし、この伝達手段の前端を、ガイド部材の後端上部に後方から当接させることによって、転写ヘッドの撓み量を調節しうるようにする。
【０００９】
(５)  上記(４)項において、伝達手段の後端を、操作手段におけるねじ筒部の筒内に遊嵌状態で挿通させるとともに、伝達手段の前部に係止部を設け、この係止部と前記ねじ筒部の前端との間に、コイルスプリングを伝達手段に外嵌させた状態で介在させ、コイルスプリングのばね作用によって前方に付勢された状態で、伝達手段を、ねじ筒部にコイルスプリングを介して追従し、前後方向に移動可能にする。
【００１０】
(６)  上記(１)項〜(５)項のいずれかにおいて、転写ヘッドを、上下方向に弾性的に撓み可能なヘッド部材と、このヘッド部材の前部左右両側に、転写テープを案内するガイド部材を設けて形成する。
【００１１】
(７)  上記(６)項において、ヘッド部材を、上下方向に弾性的に撓み可能な前後方向に長いほぼ四辺形状板、または前後方向に長いほぼ四辺形状板と、その後方に連設された上下方向に弾性的に撓み可能な連結杆とをもって形成するとともに、ヘッド部材の後端をケースに固定する。
【発明の効果】
【００１２】
本発明によると、次のような効果が奏せられる。
請求項１記載の発明によれば、使用者が、ヘッド部の被転写面への自己の押圧力を考慮して、転写ヘッドの弾性的な撓み量を、所望とする適宜の撓み量に調節することができるため、常に円滑な転写作業を行うことができる。
【００１３】
請求項２記載の発明によれば、転写ヘッドの弾性的な撓み量の調節を、左右均等に行うことができる。
【００１４】
請求項３記載の発明によれば、使用者は、操作手段および伝達手段を介して、自己が所望とする、転写ヘッドの弾性的な撓み量の調節を、容易に行うことができる。
【００１５】
請求項４記載の発明によれば、ケースの外側においてハンドルを回動操作することにより、ハンドルの操作量に応じて、転写ヘッドの撓み量の調節を、連続的に変化させて行うことができる。
【００１６】
請求項５記載の発明によれば、コイルスプリングのばね作用を利用して、撓み荷重、すなわち転写ヘッドを撓ませて、ヘッド部を上下方向に単位長さだけ移動させるために必要な荷重の大きさを変化させることができる。
そのため、撓み量の調節とともに、使用者が、一般に個人差の大きい、転写作業時における自己の押圧力に応じて、撓み荷重を調節して、自己が最も使い勝手がよい状態で転写作業を行うことができる。
【００１７】
請求項６記載の発明によれば、本発明における、撓み可能な転写ヘッドを容易に形成することができる。
【００１８】
請求項７記載の発明によれば、前項に記載した内容と同様の効果が奏せられる。
【発明を実施するための最良の形態】
【００１９】
以下、本発明の実施形態を、図面に基づいて説明する。
【実施例１】
【００２０】
図１〜図５は、本発明の塗膜転写具の一実施形態を示し、図１は、斜視図、図２は、内部機構を示す正面図、図３は、図２の要部を、一部破断して示す拡大図、図４は、図３におけるIV〜IV線断面図、図５は、要部分解斜視図である。
【００２１】
本発明の塗膜転写具(１)は、前端に開口(２)を有するケース(３)内に、供給リール(４)と巻取リール(５)が配設され、前記開口(２)より、転写ヘッド(６)における前端のヘッド部(７)を突出させ、供給リール(４)に巻回した転写テープ(８)を繰出し、前記ヘッド部(７)で反転させて巻取リール(５)に巻取らせるようになっている。
【００２２】
転写ヘッド(６)は、図５に示すように、前後方向に長いほぼ四辺形状板のヘッド部材(９)と、このヘッド部材(９)の前部左右両側に、転写テープ(８)を案内するための、側面視がほぼ前向き三角形状板を縦に、それぞれ設けてなるガイド部材(10)(10)と、ヘッド部材(９)の後端に設けた左右方向の筒状体からなる固定部(11)とから形成されている。
【００２３】
転写ヘッド(６)は、固定部(11)の筒状体内に嵌着された左右方向のピン(12)を、ケース(３)内における前端の前記開口(２)近傍に固定することによって、ヘッド部(７)およびガイド部材(10)(10)を、ケース(３)における前記開口(２)から前方に突出させた状態で、ケース(３)に取付けられている。
【００２４】
転写ヘッド(６)におけるヘッド部材(９)は、合成樹脂製の前後方向に長いほぼ四辺形状板をもって形成されているため、ヘッド部(７)を紙面等の被転写面に押圧することにより、転写ヘッド(６)が、上下方向に弾性的に撓み可能となっている。
【００２５】
転写ヘッド(６)の撓み量は、図１，図４に示すように、ケース(３)の左右側壁(13)(13)に設けられた開口(14)(14)から、外部に部分的に突出して設けられている操作手段(15)を操作することにより、調節可能となっている。
【００２６】
操作手段(15)は、前後方向を向く回動軸を有するハンドル(16)の前面中央に、外周面に、雄ねじを備えるねじ筒部(17)を一体的に設けて形成されている。前記ハンドル(16)の左右の外周部分が、前記開口(14)(14)から、外部に突出し、操作可能となっている。
【００２７】
操作手段(15)におけるねじ筒部(17)は、図３〜図５に示すように、ケース(３)に固定された保持部材(18)に設けられた、軸線が前後方向を向く雌ねじ(18a)内に螺入され、ハンドル(16)の回動操作によって、ねじ筒部(17)が前後方向に移動可能となっている。
【００２８】
保持部材(18)の前方には、伝達手段(19)が設けられている。伝達手段(19)は、前後方向を向く軸部(20)と、その前端に連設された押当部(21)とよりなる押杆(22)として形成されている。押当部(21)は、側面視においてほぼ後向きＴ字状をなし、左右方向に広幅に形成されている。
【００２９】
押杆(22)は、その軸部(20)の後端が、操作手段(15)におけるねじ筒部(17)の筒内に遊嵌状態で挿通され、押杆(22)の前端が、ケース(３)の前端における通口(23)に挿通されて、前後方向に移動可能に保持されている。側面視においてほぼ後向きＴ字状をなす押当部(21)の後面は係止部(21a)として機能し、この係止部(21a)と、操作手段(15)におけるねじ筒部(17)の前端(17a)との間には、コイルスプリング(24)が外嵌されている。
【００３０】
ケース(３)における前端の通口(23)から、前方に突出した、押杆(22)における押当部(21)の前端(21b)は、転写ヘッド(６)における左右１対のガイド部材(10)(10)の後端上部(10a)(10a)に後方から当接させてある。
【００３１】
押杆(22)は、コイルスプリング(24)のばね作用により、前方に付勢された状態で、操作手段(15)におけるねじ筒部(17)の前後方向の移動にコイルスプリング(24)を介して追従し、前後方向に移動するようになっている。そのため、ハンドル(16)を回動操作することにより、押杆(22)を前後方向に移動させ、ガイド部材(10)を介して転写ヘッド(６)の撓み荷重、すなわち転写ヘッド(６)におけるヘッド部材(９)を撓ませて、ベッド部(７)を上下方向に単位長さだけ移動させるために必要な荷重の大きさを変化させることにより、転写ヘッド(６)の撓み量を連続的に調節することができる。
【００３２】
なお、前記の実施例においては、ヘッド部材(10)を、上下方向に弾性的に撓み可能な前後方向に長いほぼ四辺形状板をもって形成した形態を示したが、これに代えて、前後方向に長いほぼ四辺形状板と、その後方に連設された上下方向に弾性的に撓み可能な連結杆とをもって形成してもよい。
また、本発明において、撓み量を連続的に調節とは、段階的に調節する場合も含めて指称する。
【図面の簡単な説明】
【００３３】
【図１】本発明の塗膜転写具の一実施形態を示す斜視図である。
【図２】同じく、内部機構を示す正面図である。
【図３】図２の要部を、一部破断して示す拡大図である。
【図４】図３におけるＩＶ〜ＩＶ線断面図である。
【図５】要部分解斜視図である。
【符号の説明】
【００３４】
(１)塗膜転写具
(２)開口
(３)ケース
(４)供給リール
(５)巻取リール
(６)転写ヘッド
(７)ヘッド部
(８)転写テープ
(９)ヘッド部材
(10)ガイド部材
(10a)後端上部
(11)固定部
(12)ピン
(13)左右側壁
(14)開口
(15)操作手段
(16)ハンドル
(17)ねじ筒部
(17a)前端
(18)保持部材
(19)伝達手段
(20)軸部
(21)押当部
(21a)係止部
(21b)前端
(22)押杆
(23)通口
(24)コイルスプリング
【図１】
2005271381.tif 000003
【図２】
2005271381.tif 000004
【図３】
2005271381.tif 000005
【図４】
2005271381.tif 000006
【図５】
2005271381.tif 000007